(57)【要約】【課題】処方に記載されている薬の詳細を容易に調べることが可能な、薬参照システム及び薬参照方法を提供すること。【解決手段】一例の薬参照システムは、電子カルテ上で医師が処方を行うとき薬名リストを表示する薬名リスト表示手段と、前記薬名リストに表示される薬名に、この薬の詳しい情報が製薬会社によって登録されていることを示す表示を付するリンク表示手段と、を有する。【選択図】図８
2014056332.tif 000002
【特許請求の範囲】
【請求項１】
電子カルテ上で医師が処方を行うとき薬名リストを表示する薬名リスト表示手段と、
前記薬名リストに表示される薬名に、この薬の詳しい情報が製薬会社によって登録されていることを示す表示を付するリンク表示手段と、
を有することを特徴とする薬参照システム。
【請求項２】
処方に含まれる薬の名称を抽出しその薬名のリストを作成し表示する薬名リスト作成表示手段と、
前記薬名のリストに表示される薬名に、この薬の詳しい情報のありかを関連付けることを示す表示を付する関連付け表示手段と、
を有することを特徴とする薬参照システム。
【請求項３】
前記薬の詳細な内容を表示する画面に、この薬の資料を要求するときクリック可能な資料請求ボタンを表示することを特徴とする請求項１又は請求項２記載の薬参照システム。
【請求項４】
前記薬名リスト作成表示手段により表示される薬名リストを見るためには、予め氏名及び住所が入力されて登録された所定のＩＤを用いてログインすることが必要であり、前記資料請求ボタンをクリックするときには、前記ＩＤに基づいて資料請求者を特定することを特徴とする請求項３記載の薬参照システム。
【請求項５】
処方に含まれる薬の名称を抽出する薬名抽出部と、
薬名抽出部により抽出された薬名のリストを作成表示する薬名リスト作成表示部と、
前記薬名のリストに表示される薬名に関連して、その薬の詳細が関連づけられていることを示す詳細有記号を表示する記号表示手段と、
この記号表示手段により表示された前記詳細有記号をクリックすると、対応する前記薬の詳細な内容を記憶する薬データベースに移行しその詳細を表示する薬詳細表示手段と、
を有することを特徴とする薬参照システム。
【請求項６】
前記薬の詳細な内容を表示する画面に、この薬の資料を要求するときクリック可能な資料請求ボタンを表示することを特徴とする請求項５記載の薬参照システム。
【請求項７】
前記薬名リスト作成表示部により表示される薬名リストを見るためには、予め氏名及び住所が入力されて登録された所定のＩＤを用いてログインすることが必要であり、前記資料請求ボタンをクリックするときには、前記ＩＤに基づいて資料送付先を特定することを特徴とする請求項６記載の薬参照システム。
【請求項８】
前記資料請求ボタンがクリックされたとき、少なくともその資料を提供する製薬会社名と当該薬名が記憶されるデータベースを有することを特徴とする請求項３又は請求項６記載の薬参照システム。
【請求項９】
処方に含まれる薬の名称を抽出した後、その薬名のリストを作成し、
作成された前記薬名のリストに表示される薬名に、この薬の詳しい情報のありかを関連付けることを示す表示を付することを特徴とする薬参照方法。
【発明の詳細な説明】
【技術分野】
【０００１】
本発明の実施形態は、医師が診断中に電子カルテを通じて薬の詳細を知ることが可能であり、製薬会社が薬の詳細を登録でき、薬の詳細表示画面を見てすぐに資料請求を行うことができ、課金することも容易な薬参照システム及び薬参照方法に関する。
【背景技術】
【０００２】
医療機関、特に診療所において医師が新薬等の情報を入手するには、診療時間外にネット上で参照するか、もしくは同じく診療時間外に製薬メーカー、薬品卸業者の営業に確認するしか手段がなかった。
【０００３】
しかしながら、これでは実際に医療の現場で処方時にタイムリーに医薬品の情報を入手できないという課題がある。また、製薬メーカーにとっても、実際に医師が最も医薬品の情報を必要とする医療現場で情報を提供する仕組みが存在しない。
【先行技術文献】
【特許文献】
【０００４】
【特許文献１】特開２００５−１８２５０６号公報
【発明の概要】
【発明が解決しようとする課題】
【０００５】
この発明は、医師が診療中に電子カルテを通じて薬の詳細を容易に調べることが可能な、薬参照システム及び薬参照方法および、製薬会社が参照される医薬品詳細情報を登録する仕組みを提供することを目的とする。
【課題を解決するための手段】
【０００６】
本発明の一実施形態は、電子カルテ上で医師が処方を行うとき薬名リストを表示する薬名リスト表示手段と、前記薬名リストに表示される薬名に、この薬の詳しい情報が製薬会社によって登録されている事を示す表示を付するリンク表示手段と、を有することを特徴とする薬参照システムを提供する。
【０００７】
また、本発明の一実施形態では、製薬会社が、上記薬の詳しい情報を登録することが可能であり、このシステムを使って登録した詳細情報を見ることができる。
【図面の簡単な説明】
【０００８】
【図１】一実施形態に係る全体システムの構成図である。
【図２】図１に示す一実施形態における電子カルテ作成装置と医療管理サーバの構成例を示す図である。
【図３】図１に示す一実施形態における薬名リスト作成表示装置の構成例を示す図である。
【図４】一実施形態において電子カルテ及び処方作成の動作を説明するための図である。
【図５】一実施形態において、薬名リスト作成の動作を説明するための図である。
【図６】一実施形態において詳細有記号がクリックされたとき以降の動作を説明するための図である。
【図７】一実施形態において電子カルテ表示画面及び処方表示画面の例を示す図である。
【図８】一実施形態において薬名リスト表示画面の例を示す図である。
【図９】一実施形態において製薬会社の薬表示画面の例を示す図である。
【発明を実施するための形態】
【０００９】
以下、本発明の実施の形態について、図面を用いて説明する。この全体のシステムの一例を図１に示す。図１において、医療機関１１の各装置と、各製薬会社のデータベース（ＤＢ）が、ネットワーク１３に接続されている。製薬会社のデータベースとしては、例えばＡ製薬薬ＤＢ１４ａ，Ｂ製薬薬ＤＢ１４ｂがこのネットワーク１３に接続されているものとする。医療機関、製薬会社のデータベースはこれらの数に限られず、２以上、３以上の場合もある。
【００１０】
医療機関１１は、例えば医師等の作成者が電子カルテを作成する電子カルテ作成装置１５と、後述するように電子カルテＤＢ、患者ＤＢやその他その医療機関に必要なデータベース、各種装置等が収容されている医療管理サーバ１６と、電子カルテから処方部分のみを抽出する処方作成装置１７ａと、処方作成装置１７ａで作成された処方の表示を要求することが可能な処方表示装置１７ｂと、この処方において用いられる薬名のリストを作成する薬名リスト作成表示装置１８と、薬名毎にその薬の内容が一応説明されている薬ＤＢ１９と、特定の薬に対応して製薬会社がリストアップされている製薬会社リストＤＢ２０と、を有する。
【００１１】
薬名リスト作成表示装置１８と薬ＤＢ１９と製薬会社リストＤＢ２０は、処方作成装置１７ａにおいて処方を作成するときに使われる。
【００１２】
各製薬会社例えばＡ製薬会社サーバ１４ｓａ、Ｂ製薬会社サーバ１４ｓｂ内各々のＡ製薬薬ＤＢ１４ａ、Ｂ製薬薬ＤＢ１４ｂは、ネットワーク１３を介して製薬会社リストＤＢ２０と接続可能となっている。Ａ製薬会社サーバ１４ｓａ、Ｂ製薬会社サーバ１４ｓｂ内には、これらのデータベースのほか、これらのデータベースの薬の内容を追加、修正、変更できる登録修正部１４ｉａ，１４ｉｂを有している。
【００１３】
電子カルテ作成装置１５と医療管理サーバの一部の構成例を、図２に示す。電子カルテ作成装置１５は、電子カルテを作成するときにログインを行う作成者ログイン部２１と、作成者が電子カルテを作成するカルテ作成入力部２２と、作成中の電子カルテを表示するカルテ表示部２３と、完成した電子カルテを出力するカルテ出力部２４と、を有する。
【００１４】
医療管理サーバ１６は、電子カルテ作成装置１５のカルテ出力部２４から出力された電子カルテを登録しておく電子カルテＤＢ２６と、この医療機関１１の医師を登録してある医師ＤＢ２７と、この医療機関１１の診療等を受けている患者を登録してある患者ＤＢ２８と、作成された電子カルテの閲覧や後述する薬リストから資料請求されたときの履歴などを記憶する閲覧資料請求ＤＢ２９と、を有する。医療管理サーバ１６には通常、このほかにも、種々のデータベースや装置が設けられている。
【００１５】
作成者ログイン部２１は、医師など電子カルテを作成することができる者が自己のＩＤとパスワードによりログインできるように、予め登録されており、履歴を記録することによってそのＩＤによって誰がいつ、この電子カルテ作成装置１５に入ってきたかわかる。
【００１６】
カルテ作成入力部２２は、ログインしてきた人が電子カルテを作成するときに入力を行う装置であり、作成中の電子カルテは、カルテ表示部２３の表示画面上にリアルタイムに表示される。ログイン者はこの表示される電子カルテを見ながら処方欄に記入していく。電子カルテ作成装置１５により作成される電子カルテの一部である処方部分は処方作成装置１７ａにおいて作成される。
【００１７】
電子カルテの画面表示の一例を図６（ａ）に示す。例えば最も左上端にカルテ番号が表示され、その下に患者のＩＤ，氏名、診断部位などが表示され、左下に電子カルテ作成者のＩＤ、氏名などが表示される。また、画面上の右上の処方欄５１に診断に基づく処方が具体的に記入され、その下に診断の画像５２が表示される。右下隅には、処方取出しのときにクリックするための処方取出しボタン５５が表示されている。
【００１８】
カルテ作成入力部２２で作成された電子カルテは、医療管理サーバ１６内の電子カルテＤＢ２６に記憶される。電子カルテＤＢ２６に記憶された電子カルテは検索可能であり、電子カルテ作成装置１５のカルテ表示部２３の画面上に表示することが可能である。所定の電子カルテを表示した状態で処方取出しボタン５５をクリックすると、この電子カルテの処方部分が処方作成装置１７ａで作成され、処方表示装置１７ｂに送られる。処方表示装置１７ｂの画面における表示例を図６（ｂ）に示す。
【００１９】
なお、図示していないが、処方表示装置１７ｂにおいて送られてきた処方を表示させるには、その許可を得ている者のＩＤ、パスワードなどを入力して、ログインするように設定することが好ましい。
【００２０】
ここで、処方作成装置１７ａによる処方作成の方法を具体的に説明する。処方表示装置１７ｂに表示される処方は図７（ａ）に示す電子カルテの処方欄に表示される部分である。
【００２１】
処方作成装置１７ａでは、医師等が処方を作成する。このとき、薬名リスト作成表示装置１８、薬ＤＢ１９及び製薬会社リストＤＢ２０を参照する。即ち、処方を作成する医師等は患者の症状などから必要な薬を考えてその薬を特定する。このとき、薬名リスト作成表示装置１８で、処方に必要な薬名リストを作成し表示させる。なお、この場合、薬名リスと作成装置を経ずに直接、薬ＤＢ１９及び製薬会社リストＤＢ２０を参照するようにしてもよい。
【００２２】
薬名リスト作成表示装置１８の構成例を図３に示す。薬名リスト作成表示装置１８は、薬ＤＢ１９及び製薬会社リストＤＢ２０にアクセスして薬名によって検索できる薬検索部３２と、この検索結果に基づいて薬名リストを作成する薬名リスト作成部３３と、作成した薬名リストを表示させる薬名リスト表示部３４とを有する。なお、図７（ｂ）に示す処方表示画面上に、薬リスト作成ボタン６５を表示させ、このボタンをクリックすることにより、薬名リスト作成部３３で薬名リストを作成させるようにしてもよい。
【００２３】
薬ＤＢ１９には薬名をキーとして薬の成分、処方、効能、点数などを検索できる薬の概要が記憶されている。薬検索部３２は、薬ＤＢ１９にアクセスし薬名によって薬を検索でき、また同時に製薬会社リストＤＢ２０にもアクセスすることが可能である。
【００２４】
薬検索部３２では、薬名を薬ＤＢ１９に問い合わせて、その薬の内容を取得する一方、製薬会社リストＤＢ２０にも問い合せる。製薬会社リストＤＢ２０には、薬名に対してその薬の内容を表示する製薬会社がリストアップされている。
【００２５】
これらの検索結果は薬検索部３２から薬名リスト作成部３３に送られ、この薬名リスト作成部３３で薬名リストを作成し、薬名リスト表示部３４の画面上にこの薬名リストを表示する。このとき、薬の内容の表示がなされている製薬会社がある薬名の横に詳細がある旨の表示がされる。
【００２６】
薬名表示リスト表示部３４の画面上に表示される薬名リストの表示例を図８に示す。薬名リストには、処方に言及されていた薬の名称７１と、その用途、処方、成分などの概要が１行に記載される。例えば薬名の後には、注意喚起を意味する記号（※）（詳細有記号）７２が関連付けを示すアンダーラインと共に表示される。この詳細有記号は、当該薬の詳しい情報のありかを関連付ける表示である。
【００２７】
図８では、Ｎｏ１とＮｏ４の薬については製薬会社リストＤＢ２０に記憶されていた、即ち提供する製薬会社のデータベースでこの薬の詳しい説明を見ることが可能であることを意味する。
【００２８】
図８の画面上、即ち薬名リスト作成表示装置１８の薬名リスト表示部３４の画面上で例えばＮｏ１の薬名の※をクリックすると、ネットワーク１３に接続されている例えばＡ製薬薬ＤＢ１４ａにあるこの薬名の内容が表示される。この表示例を図９に示す。
【００２９】
図８の表示例では、当該薬の用途、処方、成分が詳しく表示され、右下にはこの情報を提供する製薬会社名が表示される。
【００３０】
また、左下には資料請求ボタン８５が表示され、このボタンをマウスによりクリックすると、資料請求の情報が薬名と共にＡ製薬会社に送信される。処方表示装置１７ｂにログインした時、ログインＩＤにより、資料請求の医師、薬剤師などが知られる。したがって、資料請求時に資料を欲しい人が住所などを入力する必要はない。
【００３１】
次に、この実施形態で薬名リストなどを用いて処方を作成するまでの動作を、図４に示すフローチャートにしたがって説明する。
【００３２】
まず、ステップＳ４０１で、電子カルテの作成者は電子カルテ作成装置１５にログインする。更に具体的には電子カルテ作成装置１５の作成者ログイン部２１で自己のＩＤとパスワードを入力してログインする。ステップＳ４０２では、カルテ表示部２３の画面を見ながらカルテ作成入力部２２から入力して電子カルテの作成を開始する。
【００３３】
この作成中の電子カルテは、カルテ表示部２３の画面上に、例えば図７（ａ）に示すように表示される。この例の電子カルテでは、処方欄５１と、画像５２が表示されている。
【００３４】
次のステップＳ４０３では、処方作成装置１７ａにおいて処方の作成を開始する。その処方の画面の例を図７（ｂ）に示す。この処方６１を見ながら例えば医師が処方を作成していく。処方を作成する前に、薬名リストをまず作成する（ステップＳ４０４）。この薬名リストの作成の方法は後で述べる。
【００３５】
この薬名リストを参照して、処方を作成するが、そのとき用法など概要を知りたい薬がある時には、薬名リスト中の当該薬をクリックして、薬の概要を薬ＤＢ１９で調べる（ステップＳ４０５、Ｓ４０６）。その薬名の横に詳細有の記号が表示されているかどうかをチェックする（ステップＳ４０７）。記号がついていればこの記号をクリックすることにより、ステップＳ４０８に移り、関連付けされている各製薬会社の薬ＤＢに飛び、その詳細を知ることができる。
【００３６】
そして再びステップＳ４０５に戻り、更にその概要を知りたい薬があるかを検知する。このステップＳ４０５〜Ｓ４０８を繰り返して、処方を作成していく。
【００３７】
ステップＳ４０５で、もう概要を知りたい薬がなくなったら、ステップＳ４０９に移り、処方の作成を完了する。そして、ステップＳ４１０で電子カルテの作成を完了する。
【００３８】
次に薬名リストの作成について図５に示すフローチャートにより述べる。薬名が入力されると、ステップＳ５０１でそのうちの１つの薬名が特定され、ステップＳ５０２で、薬ＤＢ１９によりその薬が検索される。ステップＳ５０３で対応する薬が製薬会社リストＤＢ２０にあるか調べられる。このデータベースにその薬名があったならば、ステップＳ５０４でその薬名リストの当該薬名の横に詳細有記号の表示を行う。次のステップＳ５０５では、ほかに調べていない薬名があるか検知され、あれば再びステップＳ５０１に戻って薬名を特定してステップＳ５０２でその薬を薬ＤＢ１９で検索する。
【００３９】
以下同様にして、ステップＳ５０５で調べていない薬名がなくなるまで繰り返す。このようして薬名リストが得られる。
【００４０】
その結果、図８に示すように、薬の概要については薬毎に表示され、製薬会社リストＤＢ２０に記憶されているすべての薬については、薬名７１の直後に注意喚起を意味する詳細有記号７２が表示される。
【００４１】
次に、薬名リストで表示される薬名の後ろに表示される記号をクリックしたときの動作を、図６にしたがって説明する。
【００４２】
まず、ステップＳ６０１に先だって、処方表示装置１７ｂなどから、ログインするときＩＤとパスワードを入力することにより、入ってきた人の住所、氏名などが既知であるとする。図８に示すような薬名リストで薬名７１の後に表示されている詳細有記号７２がクリックされたか否かを検知する（ステップＳ６０１）。
【００４３】
すると、ステップＳ６０２でこのクリックされた記号に関連付けされている先のアドレスを検知する。このアドレスは、製薬会社のその薬の内容が表示されるページである。
【００４４】
ステップ６０３では、図９の例に示すように、該当薬を製造販売している製薬会社のその薬の詳細な内容が表示される。この薬の詳細な内容を示す画面などは、登録修正部１４ｉａ，１４ｉｂから追加、修正、変更可能である。
【００４５】
ステップＳ６０４では、図９に示す画面上で、資料請求ボタン８５がクリックされたか否かを検知、これにより課金する。
【００４６】
資料請求ボタン８５がクリックされた場合には、該当製薬会社にステップＳ６０５で該当する薬のカタログ等の資料を送付するよう依頼の指示制御信号を自動的に送る。この場合の資料の送付先は先のログイン時に入力したＩＤと対応する住所、氏名になる。このようにすれば資料請求時に住所氏名を入力する必要がない。もちろん、資料請求時に送付先の住所氏名を入力させるようにしてもよい。なお、資料請求ボタン８５がクリックされなかった場合にはそのまま終わる。
【００４７】
上記実施形態では、医療機関内で処方作成において薬名リストが作成され表示される場合について説明した。しかし、この場合、薬名リストにも図８に示すように、情報有を示す記号が付されるようにする事ができ、さらにこの記号をクリックすると、外部の製薬会社薬ＤＢに飛んで当該薬の詳しい情報が表示される。更に、資料請求ボタンをクリックすることにより、その薬の詳しい資料を取り寄せることが可能である。この場合にも、ログインした時のＩＤと住所、氏名を予め関連付けておけば、資料請求時に送付先の入力を不要とすることが可能である。
【００４８】
上記実施形態では、医療機関内で処方表示装置や薬名リスト作成表示装置が設けられていた。しかし、医療機関内でなくとも所定のＩＤ、パスワードでログインし、ネットワークに接続される一般の端末から上記処方を見ることができ、しかも薬名リストを作成表示するようにすることができる。更に図８に示すように、詳しい薬の情報を示す記号を表示させるようにしてもよい。この場合にも更にこの詳細有記号をクリックすると、図９に示す画面が表示され、資料請求ボタン８５が表示される。資料請求ボタンをクリックして資料請求するとき、先に登録されたＩＤに関連付けられた住所氏名に請求のあった資料を送付するようにできる。
【００４９】
このように、薬名リストで表示されている各製薬会社から情報を提供している薬の詳細を見たこと、更にその薬についての資料を請求したことなどの履歴の詳細、即ちどの製薬会社のどの薬をいつ誰が見たか、資料が請求されたかは、上述の医療管理サーバ１６内にある閲覧資料請求ＤＢ２９に記憶される。この閲覧資料請求ＤＢ２９に記憶された情報は、要求に応じて選択されてＡ製薬会社、Ｂ製薬会社などの各製薬会社に送られ、課金される。閲覧資料請求ＤＢ２９には、電子カルテの閲覧で誰がどのような処方を見たか、や外部からいつどのような情報を見たかなどの情報も記憶される。そしてそれらの閲覧や資料請求に応じて課金される。上記実施形態では、閲覧資料請求ＤＢ２９は医療機関１１内の医療管理サーバ１６内に設けられていた。しかし、このデータベースは、医療機関外にあってもよく、例えば独立にネットワーク１３に接続され、電子カルテの閲覧履歴、薬リストの閲覧履歴、薬に資料請求履歴が記憶されるようになっていてもよい。
【００５０】
以上述べたように本発明によれば、処方に記載された薬の内容を容易に詳しく見ることが可能な薬参照システムが得られる。更に、上記実施形態によれば、製薬会社により薬の詳細を提供することができ、医師、外部の第三者など利用者が容易に閲覧、資料請求をすることができ、これらの利用者に費用を容易に請求できる薬参照システムが得られる。更にこれらの処方や薬の詳細を見た回数、資料請求の回数を記憶しておき、従量制で課金することも可能である。
【００５１】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１１・・・・医療機関
１３・・・・ネットワーク
１４ａ・・・・Ａ製薬薬ＤＢ
１４ｂ・・・・Ｂ製薬薬ＤＢ
１４ｓａ・・・Ａ製薬会社サーバ
１４ｓｂ・・・・Ｂ製薬会社サーバ
１４ｉａ，１４ｉｂ・・・・登録修正部
１５・・・・電子カルテ作成装置
１６・・・・医療管理サーバ
１７ａ・・・・処方作成装置
１７ｂ・・・・処方表示装置
１８・・・・薬名リスト作成表示装置
１９・・・・薬ＤＢ
２０・・・・製薬会社リストＤＢ
２１・・・・作成者ログイン部
２２・・・・カルテ作成入力部
２３・・・・カルテ表示部
２４・・・・カルテ出力部
２６・・・・電子カルテＤＢ
２７・・・・医師ＤＢ
２８・・・・患者ＤＢ
２９・・・・閲覧資料請求ＤＢ
３２・・・・薬検索部
３３・・・・薬名リスト作成部
３４・・・・薬名リスト表示部
５５・・・・処方取出しボタン
６５・・・・薬リスト作成ボタン
７１・・・・薬の名称（薬名）
７２・・・・詳細有記号
８５・・・・資料請求ボタン
【図１】
2014056332.tif 000003
【図２】
2014056332.tif 000004
【図３】
2014056332.tif 000005
【図４】
2014056332.tif 000006
【図５】
2014056332.tif 000007
【図６】
2014056332.tif 000008
【図７】
2014056332.tif 000009
【図８】
2014056332.tif 000010
【図９】
2014056332.tif 000011